(57)【要約】【課題】開封性に優れ、開封及び再封鎖を容易に行うことのできる容器の開封構造、及び該開封構造を容易に製造するための手段を提供する。【解決手段】容器の開封構造において、開封部１０の側壁にメインスコア１１ａ及びサブスコア１１ｂを設け、メインスコア１１ａの破断により容器が開封される容器の開封構造とする；又、前記開封部がキャップ部分と注ぎ部分から成ることを特徴とする容器の開封構造とし、さらに、内側壁と、内側壁の上端部から下方に折り返してなる中間壁と、中間壁の下端部から上方に折り返してなる外側壁を連続して一体的に形成し、外側壁を前記キャップ部分、内側壁と中間壁を前記注ぎ部分としたことを特徴とする容器の開封構造とする。【選択図】  図１
2005104499.tif 000002
【特許請求の範囲】
【請求項１】
容器の開封構造において、周壁の開封部にメインスコア及びサブスコアを設け、メインスコアの破断により容器が開封されることを特徴とする容器の開封構造。
【請求項２】
前記開封部がキャップ部分と注ぎ部分から成ることを特徴とする請求項１に記載の容器の開封構造。
【請求項３】
内側壁と、内側壁の上端部から下方に折り返してなる中間壁と、中間壁の下端部から上方に折り返してなる外側壁を連続して一体的に形成し、外側壁を前記キャップ部分、内側壁と中間壁を前記注ぎ部分としたことを特徴とする請求項２に記載の容器の開封構造。
【請求項４】
前記キャップ部分と前記注ぎ部分が分離形成されていることを特徴とする請求項２に記載の容器の開封構造。
【請求項５】
前記キャップ部分が、注ぎ部の開口部を覆う円盤状の天板部と、ネジ部或いはアンダーカット部を有していることを特徴とする請求項２〜４のいずれかに記載の容器の開封構造。
【請求項６】
前記天板部の内面と注ぎ部との間に密封材が配置されていることを特徴とする請求項２〜５のいずれかに記載の容器の開封構造。
【請求項７】
前記開封部が金属製であることを特徴とする請求項１〜６のいずれかに記載の容器の開封構造。
【請求項８】
容器の開封構造の製造方法において、開封部にメインスコア形成刃とサブスコア形成刃を有するスコア形成具を押し付けると共に相対的に回転させ、メインスコアの形成終了前にサブスコアの形成を開始し、上記開封部にメインスコア及びサブスコアを設けることを特徴とする容器の開封構造の製造方法。
【請求項９】
容器の開封構造の製造装置において、メインスコア形成刃とサブスコア形成刃を有するスコア形成手段、スコア形成手段を保持しながら開封部材に対して相対的に移動する保持移動手段、保持移動手段の移動を規制する規制手段及び開封部材内に挿入するマンドレルから成ることを特徴とする容器の開封構造の製造装置。
【発明の詳細な説明】
【技術分野】
【０００１】
本発明は、容器の開封構造、その製造方法及び装置に関し、詳しくは、開封性に優れ、開封及び封鎖を容易に行うことができるジュース缶、ビール缶、炭酸飲料缶、コーヒー飲料缶、潤滑油缶、食用油缶、調味料缶等の容器の開封構造、スコアの残厚の薄い容器の開封構造を安定して形成できる製造方法及び製造装置に関する。
【背景技術】
【０００２】
従来、上記したジュース缶、ビール缶、炭酸飲料缶、コーヒー飲料缶、潤滑油缶、食用油缶、調味料缶等の密封容器として、容器本体の開口端部にイージーオープン蓋を巻締めたものが従来から広く使用されている。イージーオープン蓋においては、蓋本体と開口部とを区画するスコアが形成されていて、蓋本体に設けられたリベットに固着された摘みタブを用いてスコアを破断して押し下げ、飲み口等となる注ぎ部分を形成する。
しかしながら、従来の密封容器の場合、飲み残した時に開口部の再封鎖ができないので、残した飲料等は捨てるか、或いはコップ等に移して冷蔵庫内で保存するという手間を要するという問題があった。また、イージーオープン蓋に異物が付着して不衛生になり易いという問題もあった。
【０００３】
そこで、注ぎ部分の再封鎖が可能な密封容器の開発が行われている。例えば、特許文献１には、金属製の缶容器に対して弱化部を破断しつつ弱化部で囲まれた部分を缶体内に押し下げることで注出口を開封すると共に、開口された注出口を再封鎖するための樹脂製のキャップが容器缶蓋の開口部に着脱自在に冠着されている再封鎖用キャップ付き缶容器が記載されている。
【０００４】
特許文献１記載の容器において、注出口の開封は、缶蓋の開口部とキャップの第一円筒部との係合によりキャップを着脱させると共に、キャップの押し釦部を上方から指で押圧して可動連結部を弾性変形させて押し釦部と栓部を下方に変位させて、ヒンジ部分となる一部分を除いて略環状に破断可能な弱化部（スコア）が形成されている金属製の容器に対して、弱化部を破断しつつ弱化部で囲まれた部分を缶体内に押し下げることにより行う。また、開口された注出口の再封鎖は、可動連結部を弾性変形により支点を超えて下方に反転させ、キャップのフランジ部を缶蓋の開口部上端面に密着させることにより行う。
【０００５】
しかしながら、特許文献１記載の容器においては、樹脂製のキャップが容器本体とは別体に構成されているため、容器製造の際の工程が煩雑になり易く、生産性が悪いという問題点があった。そして、金属製の缶容器と樹脂製のキャップとが異質な素材であって、廃棄する際に、分別を要するため不便であり、リサイクル性も乏しいという問題点があった。
また、使用時における耐久性に乏しく、使用前の輸送中の振動、衝撃等によってもキャップが容器本体から脱落する可能性があった。
さらに、注出口の開封の際、キャップの押し釦部を上方から指で押圧する必要があるが、かなりの指の力を要するため、力が弱く手先のおぼつかない幼児や高齢者等は開封が困難である。また、キャップを外してみないとその開口状態を確認できないため、開口の確実性に欠けるという問題点があった。また、再封鎖の際、キャップと開口部との接合部分に埃やゴミ等の異物が溜まったり付着したりしやすいため不衛生になり易いという問題点があった。
【０００６】
かかる問題点を解決すべく開発を進めた結果、本発明者らは特許文献２記載の容器の封鎖構造を開発し、既に出願済みである。特許文献２記載の容器の封鎖構造は、注ぎ部分とキャップ部分を連続して一体に形成すると共に、スコアを設けたことを特徴とする。
特許文献２記載の容器の封鎖構造を開封する場合には、封鎖構造の外側壁を掴んで回転させてせん断力を付与することにより、スコアが破断してキャップ部分が中間壁に対して独立に回転して開封し、分離する。また、再封鎖時には、容器に飲み残しが生じた場合は、外側壁を中間壁に被せて回転させ、それぞれに設けた螺子係合部により両者を確実に固定して封止することができる。
【０００７】
このような特許文献２記載の容器の封鎖構造によれば、容器を製造する際の生産性や耐久性に優れるがメインスコアのみが設けられており、スコア製造時におけるクラックを防止するため、ある程度のスコア残厚を残す必要があった。その結果、開封の際のスコア破断にある程度の回転力が必要となり、力の弱い幼児、女子、高齢者等による容器の開封が困難になる傾向があった。
また、容器の落下時等の衝撃によるスコアの破断を生じる恐れもあった。
【０００８】
【特許文献１】特開２０００−２９６８６６号公報
【特許文献２】国際特許出願ＰＣＴ／ＪＰ０２／１３５３７明細書
【発明の開示】
【発明が解決しようとする課題】
【０００９】
本発明は、上記従来技術の問題点を解決し、開封性に優れ、開封及び再封鎖を容易に行うことができ、容器の落下時等の衝撃によるスコアの破断、割れを防止できる容器の開封構造、及び該開封構造を容易に製造するための手段を提供することを目的とする。
【課題を解決するための手段】
【００１０】
本発明者らは、上記目的を達成すべく鋭意検討を重ねた結果、容器の開封構造において、周壁の開封部に、メインスコア及びサブスコアを設けることにより、開封性を改善することができ、開封性に優れ、開封及び再封鎖等を容易に行うことができると共に、落下時等の衝撃によるスコアの破断、割れを防止できる容器の開封構造が提供されることを見出した。
また、上記メインスコア及びサブスコアを設ける際に、メインスコアの形成終了前にサブスコアの形成を開始することにより、上述のような容器の開封構造を容易に製造できることを見出した。本発明は、かかる知見に基づくものである。
【００１１】
本発明の容器の開封構造は、周壁の開封部にメインスコア及びサブスコアを設け、メインスコアの破断により容器が開封される。
このように、周壁の開封部にメインスコアの他にサブスコアが設けることにより、容器の開封構造の製造時におけるメインスコア残厚を薄くすることが可能となり、メインスコアの破断による開封が容易になる。
また、容器が落下等の衝撃を受けた際は、その衝撃荷重をメインスコアとサブスコアの両者で吸収するため、開封部のメインスコアの破断、割れを防止できる。
【００１２】
本発明の容器の開封構造は、開封部をキャップ部分と注ぎ部分から構成することにより開封後の再封鎖が可能となる。
【００１３】
本発明の容器の開封構造は、内側壁と、内側壁の上端部から下方に折り返してなる中間壁と、中間壁の下端部から上方に折り返してなる外側壁を連続して一体的に形成し、外側壁をキャップ部分、内側壁と中間壁を注ぎ部分とする。
このように、開封部のキャップ部分及び注ぎ部分を連続して一体的に形成することにより、内容物充填後のキャップ部分における密封性の保証が完全になされ、容器製造の際の生産性や輸送中等における耐久性に優れた容器の開封構造とすることができる。
また、開封部のキャップ部分となる外側壁を内側方向に押圧し、上記外側壁を楕円状に撓ませることにより、スコアは径方向（内側）に変形すると共に上下方向に分断して亀裂を生じ、開封部のキャップ部分と注ぎ部分との分離を容易にできる。
【００１４】
さらに、本発明の容器の開封構造は、上記段落００１３の構成に変えて、開封部のキャップ部分と注ぎ部分を分離形成することも可能である。
【００１５】
そして、開封部のキャップ部分は、注ぎ部の開口部を覆う円盤状の天板部とネジ部或いはアンダーカット部を有し、上記天板部の内面に密封材が配置されていることが好ましく、開封後の再封鎖、密封性を向上させる。
【００１６】
また、本発明の容器の開封構造は、金属製であることが成形性、強度面、ガスや光の遮断性の点で好ましい。
【００１７】
本発明の容器の開封構造の製造方法は、開封部にメインスコア形成刃とサブスコア形成刃を有するスコア形成具を押し付けると共に相対的に回転させ、メインスコアの形成終了前にサブスコアの形成を開始し、上記開封部にメインスコア及びサブスコアを設けたものである。このように、開封部にメインスコアを形成する際に、メインスコアの形成終了前にサブスコアの形成を開始することにより、メインスコアのメインスコア形成刃による衝撃が緩和される共にクラックの発生が防止され、且つその残厚を容易に薄くすることが可能となる。
【００１８】
本発明の容器の開封構造の製造装置は、メインスコア形成刃とサブスコア形成刃を有するスコア形成手段、スコア形成手段を保持しながら開封部材に対して相対的に移動する保持移動手段、保持移動手段の移動を規制する規制手段及び開封部材内に挿入するマンドレルから成るものである。
このように、容器の開封構造の開封部にメインスコア及びサブスコアを形成する際に、スコア形成手段を保持する保持移動手段の移動を規制する規制手段を設けることによりスコア形成手段の移動が規制され、メインスコア及びサブスコアの残厚のコントロール、形成が容易、且つ確実となる。
【発明の効果】
【００１９】
本発明の容器の開封構造によれば、周壁の開封部のメインスコアの残厚を薄くすることが可能となり、開封性に優れ、且つ容器の落下時等の衝撃によるメインスコアの破断、割れを防止できる容器の開封構造が提供される。
また、上記開封部をキャップ部分と注ぎ部分とすることにより、開封後の再封鎖等を容易に行うことができる。
さらに、本発明の容器の製造方法によれば、メインスコアのメインスコア形成刃による衝撃が緩和される共にクラックの発生が防止され、且つその残厚を容易に薄くすることができる。
さらに、本発明の容器の開封構造の製造装置によれば、スコア形成手段の移動が確実に規制され、メインスコア及びサブスコアの残厚のコントロール、形成が容易、且つ確実となる。
【発明を実施するための最良の形態】
【００２０】
以下、本発明の実施の形態に係る容器の開封構造について、図面に基づいて詳細に説明する。
【００２１】
（１）実施の形態１
図１は、本発明の実施の形態１における容器の開封構造の左部分断面図である。
図２は、容器の開封構造の開封部のキャップ部分を取り外した状態を示す説明図である。
図１、図２に示すように、実施の形態１の容器の開封構造１は、開封部１０がキャップ部分Ａと注ぎ部分Ｂから成り、内側壁１２、中間壁１３及び外側壁１４を連続して一体的に形成し、中間壁１３を内側壁１２の上端部１２ａから下方に折り返し、外側壁１４を中間壁１３の下端部１３ａから上方に折り返して、外側壁１４をキャップ部分Ａ、内側壁１２と中間壁１３を注ぎ部分Ｂとしており、キャップ部分Ａ及び注ぎ部分Ｂはこれらの三重壁から一体的に形成された三重筒状構造である。
そして、メインスコア１１ａ及びサブスコア１１ｂを、開封部１０の側壁に、即ち、キャップ部分Ａとなる外側壁１４と中間壁１３との下端密着部１４ａに設け、メインスコア１１ａを介して、キャップ部分Ａとなる外側壁１４が注ぎ部分Ｂとなる中間壁１３から分離可能に形成されている。
また、外側壁１４と中間壁１３との間には、上記外側壁１４を径方向に押圧してメインスコア１１ａの破断を行う際に、その破断を容易にする撓み変形部１５が設けられている。
【００２２】
メインスコア１１ａは、容器開封時に破断され、周状に連続して環状的、或いはミシン目状等のスコア溝であり、一方、サブスコア１１ｂは、容器開封時に破断されないがメインスコア１１ａと同様のスコア溝である。そして、このサブスコア１１ｂを設けることにより、メインスコア１１ａの残厚を薄くすることができ、メインスコア１１ａの破断が容易となり、結果的に開封の容易な容器の開封構造を得ることができる。即ち、メインスコア１１ａのみ設けた場合は、メインスコア形成加工の際にスコア形成刃により被加工部分はスコアに対して両側に押しのけられるように流動変形し、その際の衝撃がスコア残厚部かかり、残厚部にクラックが入る恐れがある。このためメインスコア１１ａの残厚を厚く残す必要があるが、サブスコア１１ｂを設けた場合は、スコア形成刃による衝撃がサブスコア形成刃の押し付け力により緩和されてメインスコア１１ａにクラックが生じ難くなり、メインスコア１１ａの残厚を薄くすることが可能となる。
メインスコア１１ａのスコア残厚は、用いる素材、寸法、容器の用途等によって相違し特に限定されないが、一例として、素材をアルミ合金とした場合は、本発明によれば０．０１ｍｍ〜０．０６５ｍｍ程度の極薄いスコア残厚でもクラックを生じさせずに形成することが可能であり、開封操作時のメインスコア１１ａの破断も容易である。
【００２３】
サブスコア１１ｂは、メインスコア１１ａよりも残厚が厚い点で相違し、  また、サブスコア１１ｂはメインスコア１１ａの上下の近傍に設けることが好ましく、メインスコアとの間の間隔を０．３〜５ｍｍ程度、好ましくは０．５〜１．５ｍｍ程度として設けるのがサブスコア１１ｂの機能を有効的に発揮する点で好ましい。
サブスコア１１ｂの数は、少なくともメインスコア１１ａの上方、或いは下方の何れか一方に１本設ければ良く、他に上下に各１本、或いは２本以上設けて良く、さらに、上下の本数を相違させても良い。
【００２４】
キャップ部分Ａは、側壁１４と注ぎ部分Ｂの開口部１９を覆う円盤状の天板部１６とを備え、注ぎ部分Ｂのネジ部１７ｂに係合するネジ部１７ａが設けられている。具体的には、外側壁１４が、内側壁１２及び中間壁１３に嵌合可能なようにそれぞれにネジ状の溝が設けられている。ネジの形態は特に限定されず、ネジ山の向きは外方に凸、及び内方に凸のいずれであってもよい。また、ネジの条数も１条、多条のいずれでも良い。
ネジ部１７ａ、１７ｂを設けることにより、開封後もキャップ部分Ａ及び注ぎ部分Ｂを着脱可能にとすることでき、容器開封後の再封機能が確実になる。
【００２５】
また、キャップ部分Ａの内面上部１６ｂに、環状の密封材１８が配置されており、この密封材１８は、注ぎ部分Ｂの再封鎖時におけるキャップ部分Ａのシール性を向上させる。
【００２６】
上記密封材１８の素材としては、天板部１６の内面上部１６ｂに接着又は嵌着されて配置されたゴムや合成樹脂等の弾性体や可塑体からなる薄肉円盤状またはドーナツ状のものを用いることが、密封性を確実にするために好ましい。
このような密封材１８は、キャップ部分Ａ内側を覆うように嵌着又は接着して配置されてもよいし、後述する成形工程において、円筒状カップＱの薄肉の中央部Ｃ３下端部内周面に密封材１８を予め塗布又は接着しておいてもよい。
【００２７】
上記密封材１８に代えて、予め内面側に有機被覆を施した塗装アルミ板またはラミネートアルミ板等の樹脂被覆金属素材を用いることも可能であり、上記有機被覆、樹脂被覆等によって、メインスコア１１ａを破断して分離されたキャップ部分Ａを注ぎ部分Ｂに被せる際に、注ぎ部分Ｂの開口部１９に介在する密封材有機被覆、樹脂被覆が注ぎ部分Ｂの上端部１２ａに密着して密封性を保持することができる。
【００２８】
実施の形態１における容器の開封構造の開封は、図３に示すように、キャップ部分Ａの側面（外側壁１４）の押圧部（撓み変形部）１５を内側方向（矢印Ｘ）に押圧することにより外側壁１４を楕円状に撓ませ、メインスコア１１ａを径方向（指で押圧した部分では矢印Ｘの内側方向、それと直角方向では矢印Ｙの外側方向）に変形させると共に、外側方向（矢印Ｙ）へ変形したメインスコア１１ａが上下方向（矢印Ｚ）に分断して亀裂を生じ、この亀裂がメインスコア１１ａの全周或いは一部に伝播し、続いてキャップ部Ａに軽いねじり力を加えることでこの亀裂を起点として極めて容易にメインスコア１１ａの全周を破断することができる。
そして、この破断によって、キャップ部分Ａと注ぎ部分Ｂが分離して容器の開封が行われ、開封後、容器から内容物を注ぎ出すことが可能になると共に、分離したキャップ部分Ａを用いて再封鎖することが可能になる。
【００２９】
開封構造１の素材は、アルミ合金やスチール等の金属素材、または金属板の少なくとも片面に有機被膜を設けた被覆金属板、ポリオレフィンやポリエステル等のプラスチック素材のいずれでも良いが、中でも加工性に優れ、強度が高く、ガスや光の遮断性に優れた金属素材が好ましい。
【００３０】
実施の形態１においては、開封部のキャップ部分Ａ及び注ぎ部分Ｂを構成する内側壁１２、中間壁１３及び外側壁１４が連続して一体的に形成されているため、内容物充填後のキャップ部分における密封性の保証が完全になされ、容器製造の際の生産性や輸送中等における耐久性に優れた容器の開封構造とすることができる。
また、メインスコア１１ａ及びサブスコア１１ｂが、上記外側壁１４に設けられているため、タンパーエビデント性を付与することができる。
また、開封後に露出する注ぎ部分Ｂの上端部１２ａは、内側壁１２と中間壁１３との折り返しの曲率をもつため、注ぎ口１９からの内容品の注出がスムースであるだけでなく、直接注ぎ部分Ｂに口をつけて飲む（いわゆるラッパのみ）場合にも口を怪我するなどの不安が全くなく安全性にも優れている。
さらに、メインスコア１１ａが下端密着部１４ａに設けられているので、キャップ部分Ａと注ぎ部分Ｂとに分離した際に現れる破断端１１ｃは中間壁１３に密着した状態であり、指、唇、舌等が触れても切創を受けることがなく安全性を有する。
さらに、また、外側壁１４と中間壁１３との間に撓み変形部１５が設けられているため、キャップ部分Ａとなる外側壁１４を楕円状に撓ませることによるメインスコア１１ａの亀裂、破断が確実に行われ、開封部１０のキャップ部分Ａと注ぎ部分Ｂとの分離を容易に行える。
【００３１】
図４は、実施の形態１の容器の開封構造を備えた容器の要部断面図で、この容器６０は、上記した容器の開封構造１を備えており、容器胴部６１の上端部に、容器の開封構造の下端部を二重巻締め７０によって固定したものである。
【００３２】
容器胴部６１はアルミ合金、スチール等の金属素材の他、ポリエチレンやポリエチレンテレフタレート等のプラスチック素材を主素材として形成することができるが、アルミ合金、スチール等の金属素材を用いることが好ましい。
また、その用途や製造コスト等に応じて、深絞り成形、しごき加工、押し出し成形、射出成形等の種々の成形方法を、材料に応じて選択して用いることができる。例えば、金属素材で形成する場合は、加工性に優れた金属材を選択して、深絞り加工、しごき加工等を適用して成形でき、衝撃に対する耐用性や耐液漏れ性に優れた容器胴部６１を形成できる。一方、全体をプラスチック素材で成形する場合は、射出成形や押し出し成形等の公知の技術が適用でき、容器の開封構造を大量に製造する際の製造コストを引き下げることができる。
【００３３】
また、図５に示す容器８０は、実施の形態１の容器の開封構造を備えた容器の他の例で、容器の開封構造１と容器胴部８１を一体的に設けたもので、上記容器胴部８１の下端部に底蓋８２を巻き締めて固定したものである。
【００３４】
（２）実施の形態２
図６は本発明の実施の形態２における容器の開封構造の左部分断面図である。実施の形態２の容器の開封構造２においては、外側壁１４と中間壁１３との下端密着部１４ａ（図１参照）を形成していない点で上述した実施の形態１と相違するが、その他の点については同様である。
【００３５】
図７は本発明の実施の形態３における容器の開封構造の左部分断面図である。実施の形態３の容器の開封構造３においては、実施の形態１のキャップ部分Ａのネジ部１７ａ、注ぎ部分Ｂのネジ部１７ｂ（図２参照）に代えて、キャップ部分Ａに環状突起部１８ａ、注ぎ部分Ｂにアンダーカット部１８ｂを形成した点で上述した実施の形態１と相違するが、その他の点については同様である。
【００３６】
（３）実施の形態４
図８は、本発明の実施の形態４における容器の開封構造の左部分断面図である。実施の形態４の容器の開封構造４においては、開封部１０のキャップ部分Ａ及び注ぎ部分Ｂが分離形成されており、キャップ部分Ａを容器本体の注ぎ部分Ｂの下方の突起部３１にかしめて固着している点、及び注ぎ部分Ｂの上端部をカール部２０とした点で、主にキャップ部分Ａ及び注ぎ部分Ｂが一体的に形成されている上述した実施の形態１と相違する。
しかしながら、メインスコア１１ａ及びサブスコア１１ｂが開封部１０のキャップ部分Ａの外側壁１４に設けられている点、キャップ部分Ａが注ぎ部分Ｂの開口部を覆う円盤状の天板部１６とネジ部１７ａを有する点、上記天板部１６の内面に密封材１８が配置されている点、及び注ぎ部分Ｂにネジ部１７ｂを有する点で上述した実施の形態１と同様である。
【００３７】
（５）実施の形態５
図９は、本発明の実施の形態５における容器の開封構造の左部分断面図である。実施の形態５の容器の開封構造５においては、外側壁（周壁）１４の開封部１０に形成されたキャップ部分Ａ及び注ぎ部分Ｂが、メインスコア１１ａ、サブスコア１１ｂを介して一体的に形成されており、メインスコア１１ａからキャップ部分Ａと注ぎ部分Ｂが分離し、容器の開封が容易に行われる。
【００３８】
（６）（容器の開封構造の製造方法）
図１０は、本発明の容器の開封構造の製造方法の説明図で、上述した実施の形態１の容器の開封構造１を製造する場合に基づいて説明する。
（ａ）まず、アルミ合金板等の金属板Ｐを深絞りして円筒状カップＱに成形した後、
（ｂ）次いで、円筒状カップＱを、再絞り成形により円筒状部分の直径が注ぎ部分の直径になるまで必要により複数回にわたって縮小を行い筒状の開封部材Ｃとする。
尚、円筒状カップＱを開封部材Ｃとする再絞り成形の最終段階では、しごき成形を組み合わせて筒状の開封部材Ｃの長手方向の肉厚分布を相違させ、キャップネジ予定部Ｃ１、キャップ押圧部Ｃ２（Ｃ１、Ｃ２：外壁予定部）、中間壁予定部分Ｃ３、及び内側壁予定部Ｃ４とし、Ｃ１＞Ｃ２≒Ｃ４＞Ｃ３とすることにより、後の成形工程を良好に行うことが可能となり、開封時の撓み変形部の撓み具合を良好とすることができる。
（ｃ）開封部材Ｃの上部を割型に挿入し、バルジ成形加工等の手段でウレタン等の弾性体を用いて弾性体の変形により内部から外側に拡径して拡径部分Ｆを形成し、上記拡径部分Ｆは、上部に位置するネジ成形予定部分１７ａと下部に位置してやや大径の押圧部（撓み変形部）１５ａからなっている。
（ｄ）開封部材Ｃの拡径部分Ｆの下方、即ち開封部にメインスコア形成刃５１とサブスコア形成刃５２を有するスコア形成具５０を押し付けると共に相対的に回転させ、メインスコア１１ａの形成終了前にサブスコア１１ｂの形成を開始し、上記開封部にメインスコア１１ａ及びサブスコア１１ｂを形成する。
尚、図１０ではスコア形成具５０として刃状ロールを例示しているが、スコア形成具５０の刃の形状は、他に直線または任意の曲線を成した形状でもよい。
【００３９】
ここで、「相対的に回転させる」とは、スコア形成具５０のメインスコア形成刃５１とサブスコア形成刃５２とが刃状ロールの場合、
１）開封部材Ｃ及び刃状ロールの両方を回転させるか、
２）上記開封部材Ｃを固定して刃状ロールのみ回転させるか、
或いは、
３）上記開封部材Ｃを回転させて刃状ロールを固定することを意味する。
一方、スコア形成具５０のメインスコア形成刃５１とサブスコア形成刃５２とが直線刃の場合、直線刃を固定して開封部材Ｃを回転させることを意味する。
【００４０】
（ｅ）次に、開封部材Ｃを高さ方向に加圧して、高さ方向中央部に形成された中間壁予定部Ｃ３が中間壁１３となり、開封部材Ｃのキャップ部材Ａのネジ予定部Ｃ１、キャップ部材Ａの押圧部Ｃ２（撓み変形部１５）が最も外側に配置されて外側壁１４となるように、内側壁１２、中間壁１３、外側壁１４の円筒状の三重壁からなる突出部を形成させる。
（ｆ）次に、突出部の内側と外側にネジ加工用ロールＤを押し当ててネジ係合部１７を成形加工し、容器の開封構造１が完成する。
尚、容器の容器胴部の上端部に巻き締めて固定するためのフランジ部４１の内側には、図示しないが適宜工程において巻き締めによる密封性を確実にするために密封材４２が塗布される。
【００４１】
（６）（容器の開封構造の製造装置１）
図１１は、本発明の容器の開封構造の製造装置の概略側面図であって、図１２は、上記製造装置にけるスコア形成手段の断面図である。
図１１に示すように、本発明の容器の開封構造の製造装置は、メインスコア形成刃５１とサブスコア形成刃５２を有する回転ロール状のスコア形成手段５０、スコア形成手段５０を保持し且つ移動するスライドプレート状の保持移動手段５３、保持移動手段５３の移動を規制するブロック状の規制手段５４及び開封部材Ｃ内に挿入されるマンドレルＥから成り、保持移動手段５３は簡略化して示した駆動手段５５によって移動する。
尚、図示しないが、開封部材ＣとマンドレルＥの位置関係を安定的に保持する保持手段を設けることもできる。
回転ロール状のスコア形成手段５０は、保持移動手段５３に回転可能に取り付けられ、保持移動手段５３は規制手段５４の方向に移動可能となっている。
開封部材Ｃへのメインスコア及びサブスコアの形成は、先ず、筒状の開封部材Ｃ内に回転マンドレルＥを挿入すると共に内方から押し当てた後、図１１の（ａ）の状態から（ｂ）の状態に保持移動手段５３を規制手段５４に向けて移動させ、スコア形成具手段５０を開封部材Ｃに押し付けると共に相対的に回転させる。次いで、スコア形成手段５０のメインスコア形成刃５１で周状のメインスコア１１ａの形成を開始し、最後に、メインスコア１１ａの形成が終了する前に上記スコア形成手段５０のサブスコア形成刃５２によって周状のサブスコア１１ｂの形成を開始する。
【００４２】
そして、図１１（ｂ）に示すように、保持移動手段５３が規制手段５４に当接することにより、上記保持移動手段５３に取り付けられたスコア形成手段５０の開封部材Ｃへの押し付けが阻止され、図１２に示すようにスコア形成手段５０のメインスコア形成刃５１、サブスコア形成刃５２によるメインスコア１１ａ、サブスコア１１ｂの形成が終了する。
尚、スコア形成手段５０におけるサブスコア形成刃５２の数は、少なくともメインスコア形成は５１の上方、或いは下方の何れか一方、上下に１つ、或いは２つ以上備えていても良く、さらに、上下の個数を相違させても良い。
【００４３】
また、スコア形成手段５０のメインスコア形成刃５１及びサブスコア形成刃５２は直線刃状とすることができるが、１つのロールに径の大きなメインスコア形成刃５１と径の小さなサブスコア形成刃５２を設けた刃状ロール、または径の大きなメインスコア形成刃５１に、径の小さなサブスコア形成刃５２を同軸状に重ねて組み立てた刃状ロールが、スコアの加工性、生産性、メンテナンス等の点で好ましい。
【００４４】
また、スコア形成手段５０を保持し、且つ移動する保持移動手段としてスライドプレート状の保持移動手段５３を例示しているが、他の例として揺動可能なアームが適用でき、さらに、規制手段としてブロック状の規制手段５４を例示しているが、他の例としてリンク機構、カム機構、電磁ブレーキ、またはこれらの複合機構等が適用できる。
【００４５】
（７）（容器の開封構造の製造装置２）
図１３は、本発明の容器の開封構造の他の製造装置の概略側面図である。図１３に示すように、この本発明の容器の開封構造の他の製造装置は、メインスコア形成刃５１とサブスコア形成刃５２を有する回転ロール状のスコア形成手段５０、スコア形成手段５０を保持するアーム状の保持移動手段５６、保持移動手段５６の移動（揺動）の規制手段であるリンク状の規制手段５７及び容器の開封部材Ｃ内に挿入されるマンドレルＥから成り、保持移動手段５６は簡略化して示したが、その中央部に連接したアーム状の駆動手段５８によって移動（揺動）する。
また、保持移動手段５６の基端部が保持部材５９ａに、規制手段５７の基端部が保持部材５９ｂに、一方、先端部がアーム状保持具５６にそれぞれ固定さている。
開封部材Ｃへのメインスコア及びサブスコアの形成は、先ず、筒状の開封部材Ｃ内に回転マンドレルＥを挿入すると共に内方から押し当てた後、図１３の（ａ）の状態から（ｂ）の状態に駆動手段５８によって保持移動手段５６、スコア形成手段５０を図の右方向に移動（揺動）させ、スコア形成手段５０を開封部材Ｃの側壁に押し付けると共に相対的に回転させる。
そして、図１３（ｂ）に示すように、規制手段５７が直線状となった時点で、保持移動手段５６に取り付けられたスコア形成手段５０の開封部材Ｃへの押し付けが阻止され、図１２に示すようにスコア形成手段５０のメインスコア形成刃５１、サブスコア形成刃５２によるメインスコア１１ａ、サブスコア１１ｂの形成が終了する。
【００４６】
本発明の開封構造は、ジュース缶、ビール缶、炭酸飲料缶、コーヒー飲料缶、潤滑油缶、食用油缶、調味料缶等の密封容器に用いられるキャップ構造であり、金属素材、内面または外面に樹脂層等が被覆されたアルミ合金やスチール等の金属素材、プラスチック素材が好ましく適用され、容器本体の形状としては、その外形が円柱状や角柱状などのものが好ましく適用できる。
【産業上の利用可能性】
【００４７】
本発明の容器の開封構造によれば、開封部の側壁にメインスコア及びサブスコアを設けているため、メインスコアの残厚を薄くすることが可能であり、容器の開封を容易に行うことができる。
また、本発明の容器の開封構造の製造方法によれば、上述のような容器の開封構造を容易に製造することができる。
さらに、本発明の容器の開封構造の製造装置によれば、容器の開封構造において、開封部の側壁にメインスコア及びサブスコアを容易に形成することができる。
【図面の簡単な説明】
【００４８】
【図１】本発明の実施の形態１の容器の開封構造を示す左部分断面図である。
【図２】実施の形態１のキャップ部分を取り外した状態を示す説明図である。
【図３】本発明の容器の開封構造の使用方法を示す説明図である。
【図４】実施の形態１の開封構造を備えた容器の要部断面図である。
【図５】実施の形態１の開封構造を備えた容器の他の例を示す要部断面図である。
【図６】実施の形態２の容器の開封構造を示す左部分断面図である。
【図７】実施の形態３の容器の開封構造を示す左部分断面図である。
【図８】実施の形態４の容器の開封構造を示す左部分断面図である。
【図９】実施の形態５の容器の開封構造を示す左部分断面図である。
【図１０】本発明における容器の開封構造の製造方法を示す概略説明図である。
【図１１】本発明における容器の開封構造の製造装置の概略側面図である。
【図１２】上記製造装置におけるスコア形成具の参考断面図である。
【図１３】本発明における容器の開封構造の他の製造装置の概略側面図である。
【符号の説明】
【００４９】
１、２、３、４、５  容器の開封構造
１０    開封部
１１ａ  周状のメインスコア
１１ｂ  周状のサブスコア
１１ｃ  破断端
１２    内側壁
１２ａ  上端部
１３    中間壁
１３ａ  下端部
１４    外側壁（周壁）
１４ａ  下端密着部
１５  押圧部（撓み変形部）
１６  天板部
１７ａ、１７ｂ  ネジ部
１８  密封材
１９  開口部
２０  カール部
４１  フランジ部
４２  密封材
５１  メインスコア形成刃
５２  サブスコア形成刃
５３  保持移動手段
５４  規制手段
５５  駆動手段
５６  保持移動手段
５７  規制手段
５８  駆動手段
５９  保持部材
６０  容器
６１  容器胴部
７０  二重巻き締め部
８０  容器
８１  筒状部
８２  底蓋
Ａ  キャップ部分
Ｂ  注ぎ部分
Ｃ  開封部材
Ｃ１  キャップネジ予定部分
Ｃ２  キャップ押圧予定部
Ｃ３  中間壁予定部分
Ｃ４  内側壁予定部分
Ｄ    ネジ加工用ロール
Ｅ    回転マンドレル
Ｆ    拡径部分
Ｐ    金属板
Ｑ    円筒状カップ
矢印Ｘ  内側方向
矢印Ｙ  外側方向
矢印Ｚ  上下方向
【図１】
2005104499.tif 000003
【図２】
2005104499.tif 000004
【図３】
2005104499.tif 000005
【図４】
2005104499.tif 000006
【図５】
2005104499.tif 000007
【図６】
2005104499.tif 000008
【図７】
2005104499.tif 000009
【図８】
2005104499.tif 000010
【図９】
2005104499.tif 000011
【図１０】
2005104499.tif 000012
【図１１】
2005104499.tif 000013
【図１２】
2005104499.tif 000014
【図１３】
2005104499.tif 000015